(57)【要約】  本発明は、スライドショーを生成するために、少なくとも複数の静止画像から、ＤＶＤビデオ互換のデータ構造であって、ＤＶＤ＋ＲＷおよびＤＶＤ＋Ｒ仕様に準拠するデータ構造を生成する方法および装置を提案するものである。提案のデータ構造中には、各静止画像につきＮｉ個のＶＯＢＵの組が生成され、それらのＶＯＢＵの各々は、オリジナルの静止画像から導出された１つのビデオ画像と、ビデオギャップとを含んでいる。これらＮｉ個のＶＯＢＵに含まれるビデオ画像は、タイムスタンプのみが異なる。その結果、提案のデータ構造は、非常に簡単かつ迅速に作成できるものとなっている。結果として得られるビットレートは低く、各画像のプレゼンテーション期間は、個数Ｎｉおよび／またはビデオギャップの長さを設定することにより調整可能である。適用分野としては、ＤＶＤビデオ、ＤＶＤ＋ＲＷおよびＤＶＤ＋Ｒが挙げられる。
2007504583.tif 000002
【特許請求の範囲】
【請求項１】
少なくとも複数の静止画像から、ＤＶＤビデオ互換のデータ構造を生成する装置であって、
−  前記静止画像を読み込む手段と、
−  前記静止画像を処理して、ＤＶＤビデオ互換フォーマットを有し、かつタイムスタンプを含むビデオ画像を生成する手段と、
−  各ビデオ画像から、ビデオオブジェクト単位の組であって、各ビデオオブジェクト単位が、異なるタイムスタンプを有する当該ビデオ画像と、ビデオギャップとを含むものであるような、ビデオオブジェクト単位の組を生成する手段と、
−  前記ビデオオブジェクト単位の組を含む、ＤＶＤビデオ互換のデータ構造を生成する手段とを含むことを特徴とする装置。
【請求項２】
前記ＤＶＤビデオ互換のデータ構造を、ＤＶＤビデオ互換の記録可能型媒体上に記録する手段をさらに含むことを特徴とする請求項１記載の装置。
【請求項３】
１つのビデオ画像の組に含まれるビデオ画像の個数が、調整可能であることを特徴とする請求項１または２記載の装置。
【請求項４】
前記ビデオギャップの大きさが、調整可能であることを特徴とする請求項１または２記載の装置。
【請求項５】
少なくとも複数の静止画像から、ＤＶＤビデオ互換のデータ構造を生成する方法であって、
−  前記静止画像を読み込む工程と、
−  前記静止画像を処理して、ＤＶＤビデオ互換フォーマットを有し、かつタイムスタンプを含むビデオ画像を生成する工程と、
−  各ビデオ画像から、ビデオオブジェクト単位の組であって、各ビデオオブジェクト単位が、異なるタイムスタンプを有する当該ビデオ画像と、ビデオギャップとを含むものであるような、ビデオオブジェクト単位の組を生成する工程と、
−  前記ビデオオブジェクト単位の組を含む、ＤＶＤビデオ互換のデータ構造を生成する工程とを含むことを特徴とする方法。
【請求項６】
前記ＤＶＤビデオ互換のデータ構造を、ＤＶＤビデオ互換の記録可能型または書換可能型媒体上に記録する工程をさらに含むことを特徴とする請求項５記載の方法。
【請求項７】
１つのビデオ画像の組に含まれるビデオ画像の個数が、調整可能であることを特徴とする請求項５または６記載の方法。
【請求項８】
前記ビデオギャップの大きさが、調整可能であることを特徴とする請求項５または６記載の方法。
【請求項９】
少なくとも複数組のビデオオブジェクト単位の組を含むＤＶＤ互換のデータ構造を担持する、ＤＶＤビデオ互換の媒体であって、
−  各ビデオオブジェクト単位が、タイムスタンプを含むビデオ画像と、該ビデオ画像に後続するビデオギャップとを含み、
−  同一のビデオオブジェクト単位の組に属する各ビデオ画像が、タイムスタンプを除いて同じものであることを特徴とする媒体。
【請求項１０】
プロセッサにより実行された際に、請求項５記載の方法を実施するための命令を含んでいることを特徴とするコンピュータプログラム。
【発明の詳細な説明】
【技術分野】
【０００１】
本発明は、少なくとも複数の静止画像から、ＤＶＤビデオ互換のデータ構造を生成する装置、方法およびコンピュータプログラムに関するものである。本発明はまた、そのようなＤＶＤビデオ互換のデータ構造を、ＤＶＤビデオ互換の記録可能型媒体上に記録する装置および方法にも関するものである。本発明はさらに、そのようなＤＶＤビデオ互換のデータ構造を担持する、ＤＶＤビデオ互換の媒体にも関するものである。
【０００２】
ＤＶＤビデオ仕様に対して互換性を有するいくつかのフォーマットが、現在利用可能とされている。１回のみ記録可能なＤＶＤは、ＤＶＤ−ＲまたはＤＶＤ＋Ｒの頭文字で呼ばれる。書換可能なＤＶＤ（すなわち、記録と、消去ならびに再記録または上書きとが可能なＤＶＤ）は、ＤＶＤ−ＲＡＭ、ＤＶＤ−ＲＷおよびＤＶＤ＋ＲＷの頭文字で呼ばれる。本発明は、ＤＶＤ＋ＲＷフォーマットおよびＤＶＤ＋Ｒフォーマットの分野において、特に関心対象となるものである。
【背景技術】
【０００３】
米国特許出願公開２００３／００５２８９７号には、少なくとも複数の静止画像から、ＤＶＤビデオ仕様に対して後方互換性を有するデータ構造を生成し、そのようなデータ構造を記録可能型ＤＶＤ媒体上に記録する方法および装置が記載されている。
【０００４】
この米国特許出願公開２００３／００５２８９７号は、画像単位（Ｐｉｃｔｕｒｅ  Ｕｎｉｔ；ＰＵ）の概念を導入している。この概念は、画像への直接のアクセスを提供する目的の、ＤＶＤビデオフォーマットへの付加概念である。米国特許出願公開２００３／００５２８９７号によれば、ＤＶＤビデオデータ構造のセルは、いわゆる「画像単位」に分割される。ここで、各画像単位は、写真を表すビデオデータを含む少なくとも１つのビデオオブジェクト単位（Ｖｉｄｅｏ  Ｏｂｊｅｃｔ  Ｕｎｉｔ；ＶＯＢＵ）を包含する。「画像単位」はまた、その写真と組み合わせられたオーディオ、ビデオまたは字幕情報を含む、追加のＶＯＢＵを包含していてもよい。米国特許出願公開２００３／００５２８９７号によれば、１つの画像を表示するために割り当てられる時間は、上記の画像単位のナビゲーションパック（Ｎａｖｉｇａｔｉｏｎ  Ｐａｃｋ；ＮＶ＿ＰＣＫ）に、非従来型のデータ（ＰＵ表示時間パラメータおよびスライドショー表示時間パラメータ）を追加することによって設定される。
【０００５】
これらの設定は、従来型の再生装置ではなく、ＰＵを認識する再生装置によってのみ使用可能である。
【０００６】
ＤＶＤビデオ仕様（第５．１．１節）によれば、ＶＯＢＵ（セルの最後のＶＯＢＵを除く）は、最小０．４秒、最大１．０秒のプレゼンテーション期間を表し、セルの最後のＶＯＢＵは、最小０．４秒、最大１．２秒のプレゼンテーション期間を表す。米国特許出願公開２００３／００５２８９７号に記載された解決策によれば、従来型の再生装置が使用される場合、１つの写真の表示の持続時間は、その写真を表すビデオデータを含むＶＯＢＵのプレゼンテーション期間までに制限される（オーディオデータ等の非ビデオデータを含む追加のＶＯＢＵと組み合わされている場合を除いて）。一般に、１秒のプレゼンテーション期間は、スライドショーには短すぎると捉えられる。
【発明の開示】
【発明が解決しようとする課題】
【０００７】
本発明の１つの目的は、画像の表示に割り当てられる時間を、スライドショーに適した値に設定するための解決策であって、ＤＶＤビデオ互換の任意の再生装置により利用可能な解決策を提供することである。
【０００８】
本発明の別の１つの目的は、スライドショーを作成するために、少なくとも複数の静止画像から、ＤＶＤビデオ互換のデータ構造を生成するための解決策であって、そのデータ構造が、ＤＶＤ＋ＲＷ仕様と互換性を有するものであるような解決策を提供することである。
【課題を解決するための手段】
【０００９】
上記の目的は、請求項１から４に規定された装置、請求項５から８に規定された方法、請求項９に規定されたＤＶＤビデオ互換の媒体、および請求項１０に規定されたプログラムにより達成される。
【００１０】
本発明によれば、以下の各工程により、少なくとも複数の静止画像から、ＤＶＤビデオ互換のデータ構造が生成される：
−  静止画像を読み込む工程、
−  それらの静止画像を処理して、ＤＶＤビデオ互換フォーマットを有し、かつタイムスタンプを含むビデオ画像を生成する工程、
−  各ビデオ画像から、ビデオオブジェクト単位の組であって、各ビデオオブジェクト単位が、異なるタイムスタンプを有する当該ビデオ画像と、ビデオギャップとを含むものであるような、ビデオオブジェクト単位の組を生成する工程、および
−  上記のビデオオブジェクト単位の組を含む、ＤＶＤビデオ互換のデータ構造を生成する工程。
【００１１】
本発明で提案するデータ構造を用いると、画像の表示の持続時間は、オリジナルの静止画像から生成されたＶＯＢＵの組をなすすべてのＶＯＢＵの、プレゼンテーション期間の合計となる。この合計の時間は、各ＶＯＢＵのプレゼンテーション期間（すなわちビデオギャップの量）と、ＶＯＢＵの個数とに依存する。したがって、原理上、０．４以上の任意の表示時間を設定することができる。
【００１２】
本発明で提案するデータ構造では、各静止画像は、１回のみ符号化されればよい。ＶＯＢＵの各組をなす、異なるＶＯＢＵを生成するのに必要な唯一の処理は、ビデオ画像のタイムスタンプ（ＭＰＥＧ仕様において規定されている復号タイムスタンプおよびプレゼンテーション・タイムスタンプ）の調整である。その結果、本発明で提案するデータ構造は、非常に簡単かつ迅速に作成できるものとなっている。
【００１３】
本発明で提案するデータ構造の別の１つの利点は、各ＶＯＢＵが１つのみのビデオ画像を含むので、結果として得られるビットレートが比較的低い点である。
【００１４】
各ＶＯＢＵが１つのビデオ画像を含んでいるので、本発明で提案するデータ構造は、ＤＶＤ＋ＲＷ仕様に準拠する（ＤＶＤ＋ＲＷビデオ仕様の第１．５．３２節には、ＶＯＢＵは、少なくとも１つのビデオフレームを含むべきであることが記載されている）。
【００１５】
本発明の有利な形態によれば、ビデオギャップの量および／またはＶＯＢＵの個数が、調整可能とされる。たとえば、画像ごとに、ビデオギャップの量および／またはＶＯＢＵの個数を調整可能とすることもできる。また、ユーザーによる調整を可能としてもよい。
【発明を実施するための最良の形態】
【００１６】
以下、本発明の上記およびその他の側面を、図面を参照しながら、より詳細に説明する。
【００１７】
図１は、ＤＶＤビデオディスクのデータ構造の模式図である。図１に示すように、ＤＶＤビデオディスクのデータ構造は、ビデオマネージャＶＭＧと、ビデオタイトルセットＶＴＳとを含んでいる。ビデオタイトルセットＶＴＳは、ビデオタイトルセット情報ＶＴＳＩと呼ばれる制御データと、ビデオタイトルセットメニューに関するビデオオブジェクトセットＶＴＳＭ＿ＶＯＢＳと、ビデオタイトルセット内のタイトルに関するビデオオブジェクトセットＶＴＳＴＴ＿ＶＯＢＳと、バックアップ制御データＶＴＳＩ＿ＢＵＰとを含んでいる。ビデオタイトルセット内のタイトルに関するビデオオブジェクトセットＶＴＳＴＴ＿ＶＯＢＳは、複数のビデオオブジェクトＶＯＢを含んでいる。ビデオオブジェクトは、複数のセルＣＥＬＬを含んでいる。セルＣＥＬＬは、複数のビデオオブジェクト単位ＶＯＢＵを含んでいる。ビデオオブジェクト単位ＶＯＢＵは、１つのナビゲーションパックＮＶ＿ＰＣＫで始まり、ビデオパックＶ＿ＰＣＫ、オーディオパックＡ＿ＰＣＫおよびサブ画像パックＳＰ＿ＰＣＫの、各タイプのパックがもしあれば、それらを任意の順序で包含する。ビデオパックは、パックヘッダーＰＣＫ＿Ｈと、ビデオパケットＶ＿ＰＫＴとを含む。ビデオパケットＶ＿ＰＫＴは、パケットヘッダーＰＫＴ＿Ｈと、ビデオデータＶ＿Ｄとを含む。
【００１８】
１つのＶＯＢＵのビデオデータは、複数のビデオパックＶ＿ＰＣＫおよびビデオパケットＶ＿ＰＫＴのペイロードに、分割されてもよい。
【００１９】
本発明の方法および装置は、複数の静止画像から、図１を参照して上記で説明したようなタイプのデータ構造を生成するように設計されている。ビデオ、オーディオまたは字幕等の他のタイプの素材が、上記のデータ構造内に含められてもよい。
【００２０】
典型的には、静止画像は、デジタルカメラで捉えられた画像であるが、これに限定されるものではない。本発明は、合成画像や、予めスキャンされてデジタル化された従来型の写真を含めて、あらゆるタイプのデジタル画像に適用される。デジタル画像の一般的なフォーマットの例としては、ＥＸＩＦフォーマット、ＧＩＦフォーマット、およびＪＰＥＧフォーマットが挙げられる。
【００２１】
図２に示すように、上記のようなデータ構造を生成する、本発明に従う１つの方法は、
−  データ構造内に含められるべき静止画像Ｓｉ（ｉ＝１，・・・，Ｑ）を読み込むステップ１０、
−  上記の静止画像Ｓｉの各々を処理して、ＤＶＤビデオ互換フォーマット、すなわちＭＰＥＧ−１またはＭＰＥＧ−２フォーマットを有するビデオ画像Ｖｉを生成するステップ１２（ＭＰＥＧ仕様によれば、各ビデオ画像は、復号タイムスタンプと、プレゼンテーション・タイムスタンプとを有している。復号タイムスタンプは、ビデオ画像が復号されるべき時刻であり、プレゼンテーション・タイムスタンプは、ビデオ画像が表示されるべき時刻である）、
−  各ビデオ画像Ｖｉから、Ｎｉ個のビデオオブジェクト単位の組Ｔｉであって、各ビデオオブジェクト単位ＶＯＢＵｉ，ｊ（ｊ＝１，・・・，Ｎｉ）がビデオ画像Ｖｉ，ｊとビデオギャップとを含むようなビデオオブジェクト単位の組Ｔｉを生成するステップ１４、および
−  上記のビデオオブジェクト単位の組Ｔｉ（ｉ＝１，・・・，Ｑ）を含む、ＤＶＤビデオ互換のデータ構造Ｄ＿Ｓを生成するステップ１６を含む。
【００２２】
処理ステップ１２は、画像を、静止画像のフォーマット（たとえば、ＥＸＩＦ、ＪＰＥＧまたはＧＩＦ）から、ＭＰＥＧ−１またはＭＰＥＧ−２フォーマットへとコード変換する。
【００２３】
ビデオ画像Ｖｉ，ｊ（ｊ＝１，・・・，Ｎｉ）は、復号タイムスタンプＤＴＳｉ，ｊとプレゼンテーション・タイムスタンプＰＴＳｉ，ｊとを除けば、ビデオ画像Ｖｉと同一である。ビデオ画像Ｖｉ，ｊ（ｊ＝１，・・・，Ｎｉ）同士は、異なるタイムスタンプを有している。復号タイムスタンプＤＴＳｉ，ｊおよびプレゼンテーション・タイムスタンプＰＴＳｉ，ｊは、ＤＴＳｉ，ｊ＜ＤＴＳｉ，ｊ＋１かつＰＴＳｉ，ｊ＜ＰＴＳｉ，ｊ＋１を満たすようなタイムスタンプである。
【００２４】
有利な形態では、ビデオオブジェクト単位ＶＯＢＵｉ，ｊの組Ｔｉは、最初のビデオオブジェクト単位ＶＯＢＵｉ，１を作成し、この最初のビデオオブジェクト単位を繰り返しつつ、タイムスタンプＤＴＳｉ，ｊおよびＰＴＳｉ，ｊを調整することにより生成される。
【００２５】
既に述べたように、ビデオオブジェクト単位（セルの最後のビデオオブジェクト単位を除く）は、０．４秒と１．０秒との間に含まれるプレゼンテーション期間を有する（セルの最後のビデオオブジェクト単位は、０．４秒と１．２秒との間に含まれるプレゼンテーション期間を有する）。各ビデオオブジェクト単位ＶＯＢＵｉ，ｊ内のビデオギャップは、そのビデオオブジェクト単位ＶＯＢＵｉ，ｊのプレゼンテーション期間として、ビデオ画像Ｖｉ，ｊのプレゼンテーション期間よりも長い期間を設定することにより生成される。ビデオ画像Ｖｉ，ｊのプレゼンテーション期間は、ビデオ画像が生成されるレートに依存する。典型的には、ＭＰＥＧ符号器は、２５Ｈｚ（ＰＡＬ／ＳＥＣＡＭビデオフォーマット）または２９．９７Ｈｚ（ＮＴＳＣビデオフォーマット）のレートで、ビデオ画像を生成する。ＤＶＤビデオ仕様（第５．１．１節）によれば、ビデオオブジェクト単位のプレゼンテーション期間が、そのビデオオブジェクト単位が包含するビデオのプレゼンテーション期間よりも長い場合には、符号化された最後の画像に、シーケンスエンドコード（ｓｅｑｕｅｎｃｅ＿ｅｎｄ＿ｃｏｄｅ）が後続させられるべきである。
【００２６】
図３は、本発明に従う方法により生成された、ビデオオブジェクト単位ＶＯＢＵｉ，ｊの組Ｔｉの模式図である。
【００２７】
図４は、ビデオオブジェクト単位ＶＯＢＵｉ，ｊに含まれるビデオデータＶ＿Ｄｉ，ｊの模式図である。図４に示されているように、ビデオデータＶ＿Ｄｉ，ｊは、シーケンスヘッダーＳＥＱ＿Ｈｉ、ＧＯＰヘッダーＧＯＰ＿Ｈｉ、イントラ符号化画像Ｖｉ，ｊ、およびシーケンスエンドコードＳ＿Ｅ＿Ｃを含む。ＶＯＢＵｉ，ｊのコンテンツは、そのＶＯＢＵｉ，ｊの複数のビデオパックおよびビデオパケットのペイロードを占有し得る。
【００２８】
画像の表示の持続時間は、個数Ｎｉと、ビデオオブジェクト単位ＶＯＢＵｉ，ｊ内に含まれるビデオギャップの長さとに、直接依存する。個数Ｎｉは、定数であってもよいし、添字ｉと共に変化する変数であってもよい。ビデオギャップの長さは、一定であってもよいし、添字ｉおよび／またはｊと共に変化する変数であってもよい。これらのパラメータのいかなる組合せが用いられてもよい。最も低いビットレートを得たい場合（すなわち、ディスク上に最大数の画像を載せたい場合）には、各ビデオオブジェクト単位ＶＯＢＵｉ，ｊについて最大のプレゼンテーション期間（すなわち最大のビデオギャップ）が用いられ、かつビデオオブジェクト単位の個数Ｎｉが最小の個数に設定されるべきである。
【００２９】
個数Ｎｉの値とビデオギャップの量とは、予め設定されていてもよいし、ユーザーにより選択可能とされていてもよい。
【００３０】
オプションとして、本発明の方法により生成されるデータ構造は、ビデオ、オーディオまたは字幕等の他のタイプの素材を含んでいてもよい。これらの素材はそれぞれ、ビデオパック、オーディオパックおよび字幕パック内に挿入される。それらの素材の特性に応じて、それらの素材は、ビデオ画像Ｖｉ，ｊと同一のビデオオブジェクト単位内、または異なるビデオオブジェクト単位内に挿入される。
【００３１】
本発明は、ビットレートを比較的低く保ち、かつ生成時間を比較的短く保つ。たとえば、各ビデオオブジェクト単位のプレゼンテーション期間が１秒に設定され、かつ各ビデオオブジェクト単位が２００キロバイトのビデオ画像を１つ含む場合（高品質符号化モードに対応する）には、結果として得られるビットレートは、１．６メガビット／秒となる。かかるビットレートを用いれば、１つのＤＶＤビデオ互換のディスク上に、６時間の記録を行うことが可能である。そのような６時間のスライドショーを生成し記録するには、２５分の時間が必要とされる（生成過程ではなく、ディスク上への書込速度から来る制約を受けて）。
【００３２】
図５は、本発明に係る装置２０の一例を概略的に示した図である。この装置２０は、少なくとも複数の静止画像から、ＤＶＤビデオ互換のデータ構造を生成し、そうして生成されたデータ構造を、任意のＤＶＤビデオ互換のディスク（ＤＶＤ＋ＲＷおよびＤＶＤ＋Ｒディスクを含む）上に記録するように設計されている。図５に示すように、装置２０は、
−  静止画像を受け取るための画像入力部２１（たとえば、静止画像を記憶したメモリカードを受容する入力部、および／またはそのようなメモリカードを包含するデジタルカメラと接続するためのＵＳＢポート）、
−  ユーザーが、選択を行い、各種機能を始動させるための、ユーザーインターフェース２２、
−  装置２０の動作を制御するためのコントローラ２４、
−  コントローラ２４により制御されて、上記の静止画像を処理し、ＤＶＤビデオ互換フォーマットを有するビデオ画像を生成する画像プロセッサ３０、
−  少なくとも画像プロセッサ３０により出力されるビデオ画像（およびオプションとして他のタイプの素材）を受け取り、図１から４を参照しながら上記で説明した本発明に従うデータ構造３５を生成する、コントローラ２４により制御されるマルチプレクサ３１、および
−  上記のデータ構造３５を、ＤＶＤビデオ互換のディスク５０上に記録するための光学ユニット４０を含む。
【００３３】
ユーザーインターフェース２２は、たとえば以下の選択および指定を可能とするように設計されている：
−  ユーザーによる、提示されている複数の機能の中からの、スライドショー生成／記録機能の選択、
−  ユーザーによる、使用可能な複数の静止画像の中からの、スライドショーを生成するのに使用する静止画像の選択、
−  ユーザーによる、生成されるデータ構造内に包含されるべき他の素材（ビデオ、オーディオ、字幕等）の選択、および
−  ユーザーによる、個数Ｎｉと、ビデオギャップの長さとの指定。
【００３４】
オプションとして、装置２０は、画像プロセッサ３０により生成されるビデオ画像と組み合わせられるべき、上記の他のタイプの素材を付与するために使用される、オーディオ入力部５２、ビデオ入力部５４、および字幕入力部５６を含んでいる。
【００３５】
図５には示されていないが、有利な形態では、装置２０は、ＤＶＤビデオ互換のディスクの読取りを行うための従来型の手段を備えている。
【００３６】
装置２０の上記の各構成要素は、ハードウェア、ソフトウェア、またはハードウェアとソフトウェアとの組合せで実現される。それらの構成要素は、１つのコンピュータシステム内に集約された形態で配されてもよいし、複数のコンピュータシステムに跨って分散されてもよい。
【００３７】
典型的には、コントローラ２４は、汎用プロセッサと、その汎用プロセッサにロードされ実行された際に装置２０の動作を制御する命令を含むソフトウェアとから構成される。画像プロセッサ３０とマルチプレクサ３１とが、純然たるソフトウェアとして実装される場合は、このソフトウェアは、上記の汎用プロセッサにより実行される。
【００３８】
ディスク５０は、ＤＶＤ＋ＲＷ、ＤＶＤ＋Ｒ、ＤＶＤ−ＲＷ、ＤＶＤ−Ｒ等を含む、いかなるＤＶＤビデオ互換フォーマットに準拠するものであってもよい。また、ディスク５０は、いかなるＤＶＤビデオ互換の再生装置によって読み出されてもよい。
【００３９】
上記で説明した方法、装置、プログラムおよび媒体については、本発明の範囲から逸脱することなく、変更形態または改善形態を提案することができる。すなわち、本発明は、上記で提示した例に限定されるものではない。
【００４０】
特に、図５の装置はスライドショーを記録する装置であったが、本発明は、光学ユニット４０が省かれた、スライドショーを生成する装置もカバーするものである。
【００４１】
「含む」もしくは「備える」との動詞およびそれらの活用形の使用は、記載されたもの以外の要素または工程の存在を排除するものではない。
【００４２】
また、ある要素または工程の前に置かれた「１つの」との語は、そのような要素または工程が複数存在することを排除するものではない。
【図面の簡単な説明】
【００４３】
【図１】ＤＶＤビデオ互換のデータ構造の模式図
【図２】少なくとも複数の静止画像から、ＤＶＤビデオ互換のデータ構造を生成する、本発明に従う１つの方法のブロック図
【図３】図２を参照して説明した方法を適用することにより１つの静止画像から生成された、ビデオオブジェクト単位の組の模式図
【図４】図３を参照して説明されたビデオオブジェクト単位の組をなす１つのビデオオブジェクト単位内に含まれる、ビデオデータの模式図
【図５】少なくとも複数の静止画像からＤＶＤビデオ互換のデータ構造を生成し、そのデータ構造を記録する、本発明に係る装置の一例の概略ブロック図
【図１】
2007504583.tif 000003
【図２】
2007504583.tif 000004
【図３】
2007504583.tif 000005
【図４】
2007504583.tif 000006
【図５】
2007504583.tif 000007
【国際調査報告】
2007504583.tif 000008
2007504583.tif 000009
2007504583.tif 000010